(57)【要約】【課題】釣竿１２にセットされた釣糸１４に取り付けられた浮き１６を保護する浮きケース１０を提供する。【解決手段】収容部１８においては、収容空間２２を構成する本体２４の側壁に互いに対向する２つの糸通し孔２６が形成され、また、２つの糸通し孔２６を連通するようにしてスリット２８が形成される。そして、本体２４の背面に取付手段２０が形成され、この取付手段２０によって収容部１８が釣竿１２に取り付けられる。収容空間２２に浮き１６を収容する際には、スリット２８が拡げられ、このスリット２８から収容空間２２内に浮き１６が押し込まれる。【選択図】　　　図４
2004113065.tif 000002
【特許請求の範囲】
【請求項１】
釣竿にセットされた釣糸に取り付けられた浮きを保護する浮きケースであって、
弾性を有し、前記浮きを収容する収容空間を構成する本体と、前記本体の側壁に互いに対向して形成された２つの糸通し孔と、前記２つの糸通し孔を連通するようにして前記本体の側壁に形成されたスリットとを含む収容部、および
前記収容部を前記釣竿に取り付ける取付手段を備える、浮きケース。
【発明の詳細な説明】
【０００１】
【発明の属する技術分野】
この発明は、釣糸に取り付けられた浮きを保護するための浮きケースに関する。
【０００２】
【従来の技術】
従来、この種の浮きケースはなかった。
【０００３】
磯や波止などで浮き釣りをする場合には、浮きを釣糸に取り付けたまま釣竿（振り出し竿）を畳み、この釣竿を持って釣り場所を移動することが行われている。この場合、釣糸に取り付けられた浮きは釣竿の先端付近から垂れ下がるため、浮きが揺れることによって、浮きまたは釣糸と釣竿とが接触することがあり、浮き，釣糸または釣竿が傷つけられるおそれがあった。
【０００４】
【発明が解決しようとする課題】
それゆえに、この発明の主たる目的は、釣竿にセットされた釣糸に取り付けられた浮き等を保護することのできる、浮きケースを提供することである。
【０００５】
【課題を解決するための手段】
この発明は、「釣竿１２にセットされた釣糸１４に取り付けられた浮き１６を保護する浮きケース１０であって、弾性を有し、浮き１６を収容する収容空間２２を構成する本体２４と、本体２４の側壁２４ａに互いに対向して形成された２つの糸通し孔２６と、２つの糸通し孔２６を連通するようにして本体２４の側壁２４ａに形成されたスリット２８とを含む収容部１８、および収容部１８を釣竿１２に取り付ける取付手段２０を備える、浮きケース１０」である。
【０００６】
この発明では、取付手段２０によって収容部１８が釣竿１２に取り付けられ、収容部１８の収容空間２２に浮き１６が収容される。収容空間２２に浮き１６を収容する際には、収容部１８の本体２４に形成されたスリット２８が拡げられ、このスリット２８から収容空間２２内に浮き１６が押し込まれる。また、浮き１６が取り付けられた釣糸１４は２つの糸通し孔２６のそれぞれに挿通される。収容空間２２に浮き１６が押し込まれた後は、収容部１８の本体２４が元の形状に復元されるので、浮き１６が収容空間２２から脱落する心配はない。
【０００７】
【発明の実施の形態】
図１および図２を参照して、本発明が適用された浮きケース１０は、図３および図４に示すように、釣竿１２にセットされた釣糸１４に取り付けられた浮き１６を保護するものである。
【０００８】
浮きケース１０は、浮き１６を収容する収容部１８と、収容部１８を釣竿１２に取り付けるための取付手段２０とによって構成される。
【０００９】
収容部１８は、浮き１６を収容する収容空間２２を構成する本体２４を含み、本体２４の側壁２４ａには、２つの糸通し孔２６が互いに対向して形成されるとともに、２つの糸通し孔２６を連通するようにしてスリット２８が形成される。
【００１０】
本体２４は、スリット２８を拡げることによって収容空間２２に対して浮き１６を出し入れすることができるように、また、異なる大きさの浮き１６を使用する場合でも各大きさの浮き１６を挟持することができるように、ナイロンまたはウレタン等のような合成樹脂材料によって全体として弾性を有するように形成される。また、本体２４の形状は、特に限定されるものではないが、この実施例では、略俵状とされる。
【００１１】
各糸通し孔２６は、釣糸１４が挿通される孔である。各糸通し孔２６の形状は特に限定されるものではないが、スリット２８を拡げた際の応力集中を緩和するために、また、釣糸１４の引っ掛かりを防止するために、角のない円形状であることが望ましい。
【００１２】
スリット２８は、収容空間２２に対する浮き１６の出入口であり、一端が一方の糸通し孔２６に連通され、他端が他方の糸通し孔２６に連通される。スリット２８の幅は特に限定されるものではないが、この幅が広いほど浮き１６の出し入れが容易になる。ただし、スリット２８の幅を広くし過ぎると、浮き１６の外部に露出する面積が広くなって浮き１６を保護する機能が低下するので、この幅は、出し入れの容易性と保護機能とのバランスを考慮して設定する必要がある。
【００１３】
取付手段２０は、正面図（図２）において略コ字状に表されたベルト係止部３０を含み、ベルト係止部３０のベルト挿通孔３２にベルト３４が挿通される。ベルト３４は、釣竿１２の外周面に装着されるものであり、この実施例では、ガイドキャップ３６を釣竿１２に固定するためのベルト３４が利用される。
【００１４】
ただし、このようなベルト３４としては、実施例のようなバックル３４ａで固定するタイプの他、面ファスナーで固定するタイプ等が用いられてもよいし、浮きケース１０に専用のものが用いられてもよい。
【００１５】
浮きケース１０を使用する際には、図３および図４に示すように、取付手段２０のベルト挿通孔３２にガイドキャップ３６を固定するためのベルト３４が挿通され、このベルト３４が釣竿１２の外周面に装着される。そして、釣糸１４に取り付けられた浮き１６が収容部１８の収容空間２２に収容され、釣糸１４が各糸通し孔２６に挿通される。
【００１６】
収容空間２２に対して浮き１６を出し入れする際には、収容部１８の本体２４を弾性変形させながらスリット２８を拡げることができるので、出し入れの作業は容易である。
【００１７】
この実施例によれば、収容部１８によって浮き１６を保持することができるので、浮き１６が釣竿１２の先端部から垂れ下がるのを防止できる。したがって、浮き１６，釣糸１４または釣竿１２が互いに接触して傷つけられるのを防止できる。
【００１８】
なお、上述の実施例では、収容部１８を略俵状に形成した場合を示したが、収容部１８の形状は、たとえば図５または図６に示すように適宜変形されてもよい。図５に示した浮きケース３８は、収容部１８を卵状に形成したものであり、図６に示した浮きケース４０は、収容部１８を筒状に形成するとともに、スリット２８を波状に形成したものである。
【００１９】
【発明の効果】
この発明によれば、取付手段によって収容部が釣竿に取り付けられ、収容部の収容空間に浮きが収容されるので、浮きが釣竿の先端付近から垂れ下がるのを防止できる。したがって、浮き，釣糸または釣竿が互いに接触して傷つけられるといった問題を解消できる。
【００２０】
また、収容空間に浮きを収容する際には、収容部（本体）の側壁に形成されたスリットを拡げ、このスリットから浮きを押し込むだけでよいので、浮きを簡単に収容することができる。また、収容空間に浮きを押し込んだ後は、収容部（本体）が元の形状に復元されるので、浮きが収容空間から脱落する心配はない。
【図面の簡単な説明】
【図１】この発明の一実施例を示す図である。
【図２】図１実施例を示す斜視図である。
【図３】図１実施例の使用状態を示す図である。
【図４】図１実施例の使用状態を示す拡大図である。
【図５】この発明の他の実施例を示す図である。
【図６】この発明の他の実施例を示す図である。
【符号の説明】
１０…　浮きケース
１２…　釣竿
１４…　釣糸
１６…　浮き
１８…　収容部
２０…　取付手段
２２…　収容空間
２４…　本体
２６…　糸通し孔
２８…　スリット
３０…　ベルト係止部
３２…　ベルト挿通孔
【図１】
2004113065.tif 000003
【図２】
2004113065.tif 000004
【図３】
2004113065.tif 000005
【図４】
2004113065.tif 000006
【図５】
2004113065.tif 000007
【図６】
2004113065.tif 000008